(57)【要約】【課題】撮影状態で撮像装置に衝撃等が加わった際の撮像装置の耐衝撃性を向上させる仕組みを提供する。【解決手段】撮像装置は、沈胴位置と撮影位置との間を撮影光軸Ａに沿って移動する第１の光学部材１０，２０と、第１の光学部材１０，２０の背面側に配置され、撮影位置で撮影光軸Ａの軸上に進入し、沈胴位置で撮影光軸Ａの軸上から退避する第２の光学部材３０と、第１の光学部材１０，２０を撮影光軸Ａの方向に進退移動させる駆動部材７と、第２の光学部材３０を撮影光軸Ａの方向に付勢する付勢手段３３と、を備える。駆動部材７は、第２の光学部材３０が撮影位置にあるとき、第２の光学部材３０に係合して第２の光学部材３０の回転を規制する回転規制手段７ｇを有する。【選択図】図１６
2015111202.tif 000002
【特許請求の範囲】
【請求項１】
沈胴位置と撮影位置との間を撮影光軸に沿って移動する第１の光学部材と、
前記第１の光学部材の背面側に配置され、前記撮影位置で前記撮影光軸の軸上に進入し、前記沈胴位置で前記撮影光軸の軸上から退避する第２の光学部材と、
前記第１の光学部材、及び前記第２の光学部材のうちの少なくとも前記第１の光学部材を前記撮影光軸の方向に移動させる駆動部材と、
前記第２の光学部材を前記撮影光軸の方向に付勢する付勢手段と、を備え、
前記駆動部材は、前記第２の光学部材が前記撮影位置にあるとき、前記第２の光学部材に係合して前記第２の光学部材の回転を規制する回転規制手段を有することを特徴とする撮像装置。
【請求項２】
沈胴位置と撮影位置との間を撮影光軸に沿って移動する第１の光学部材と、
前記第１の光学部材の背面側に配置され、前記撮影位置で前記撮影光軸の軸上に進入し、前記沈胴位置で前記撮影光軸の軸上から退避する第２の光学部材と、
前記第１の光学部材、及び前記第２の光学部材のうちの少なくとも前記第１の光学部材を前記撮影光軸の方向に移動させる駆動部材と、
前記第２の光学部材を前記撮影光軸の方向に付勢する付勢手段と、を備え、
前記駆動部材は、前記第２の光学部材が前記沈胴位置から前記撮影位置に移行する際に、前記第２の光学部材に係合して前記第２の光学部材を強制的に前記撮影位置に移行させる移行手段を有することを特徴とする撮像装置。
【請求項３】
前記第１の光学部材は、第１レンズを有し、前記第２の光学部材は、第２レンズを有し、前記駆動部材は、前記第１レンズ、及び前記撮影光軸の軸上に進入した前記第２レンズを前記撮影光軸の方向に移動させることを特徴とする請求項１又は２に記載の撮像装置。
【請求項４】
前記第１の光学部材は、第１レンズを有し、前記第２の光学部材は、第２レンズを有し、前記駆動部材は、前記第１レンズ、及び前記撮影光軸の軸上に進入した前記第２レンズを前記撮影光軸の方向に移動させ、前記回転規制手段は、前記第１レンズと前記第２レンズとが互いに接近する位置で前記第２レンズを保持する第２レンズ枠に前記撮影光軸の方向に係合して前記第２レンズの回転を規制することを特徴とする請求項１に記載の撮像装置。
【請求項５】
前記回転規制手段の前記第２レンズ枠に対する係合量Ｋ１が、前記撮影光軸の方向における前記第１レンズと前記第２レンズとの重なり量Ｋ２より大きいことを特徴とする請求項４に記載の撮像装置。
【請求項６】
前記回転規制手段の前記第２レンズ枠に対する係合量Ｋ１が、前記撮影光軸の方向における前記第１レンズを保持する第１レンズ枠における前記第１レンズの加締めによる固定部と前記第２レンズ枠における前記第２レンズの加締めによる固定部との重なり量Ｋ３より大きいことを特徴とする請求項４に記載の撮像装置。
【請求項７】
前記第２の光学部材は、前記第１の光学部材に前記撮影光軸に沿って入射した光束を前記撮影光軸と交差する方向に屈曲させて撮像素子に導くプリズムを有することを特徴とする請求項１又は２に記載の撮像装置。
【発明の詳細な説明】
【技術分野】
【０００１】
本発明は、例えばデジタルカメラ等の撮像装置に関する。
【背景技術】
【０００２】
デジタルカメラ等の撮像装置では、撮影光軸に沿って撮影位置と沈胴位置との間を移動する撮影光学系と、撮影光学の背面側に配置され、撮影状態で撮影光軸上に移動し、沈胴状態では、撮影光軸から退避する退避光学系とを備えるものがある。
【０００３】
従来、この種の撮像装置として、光路を折り曲げるミラーを保持するミラー枠（退避光学系）を固定部材に対して回動可能に支持し、付勢手段の付勢力によりミラー枠を回動させて撮影光軸上に位置させる技術が提案されている（特許文献１）。この提案では、沈胴状態にあるとき、直進枠でミラー枠を付勢手段の付勢力に抗して押圧することで、ミラー枠を撮影光軸上から退避する方向に回動させる。
【先行技術文献】
【特許文献】
【０００４】
【特許文献１】特開２００６−１０６０７１号公報
【発明の概要】
【発明が解決しようとする課題】
【０００５】
しかし、上記特許文献１では、撮影状態にあるとき、ミラー枠を付勢手段の付勢力のみで撮影光軸上に位置させているため、衝撃等が加わると、ミラー枠が必要以上に退避方向に回動して、他の部品と干渉したり、撮影光軸からずれる可能性がある。また、上記特許文献１では、ミラー枠を確実に撮影光軸上に位置させようとすると、付勢手段の付勢力の大きくする必要があり、ミラー枠を撮影光軸上から退避させる際の鏡筒の駆動負荷が増すという問題がある。このため、上記特許文献１では、退避光学系を備える撮像装置の更なる性能向上を図る上で限界がある。
【０００６】
そこで、本発明の目的は、撮影状態で撮像装置に衝撃等が加わった際の撮像装置の耐衝撃性を向上させる仕組みを提供することにある。
【０００７】
また、本発明の他の目的は、付勢手段の付勢力を大きくすることなく、退避光学系を確実に撮影光軸上に位置させることができる仕組みを提供することにある。
【課題を解決するための手段】
【０００８】
上記目的を達成するために、本発明の撮像装置は、沈胴位置と撮影位置との間を撮影光軸に沿って移動する第１の光学部材と、前記第１の光学部材の背面側に配置され、前記撮影位置で前記撮影光軸の軸上に進入し、前記沈胴位置で前記撮影光軸の軸上から退避する第２の光学部材と、前記第１の光学部材、及び前記第２の光学部材のうちの少なくとも前記第１の光学部材を前記撮影光軸の方向に移動させる駆動部材と、前記第２の光学部材を前記撮影光軸の方向に付勢する付勢手段と、を備え、前記駆動部材は、前記第２の光学部材が前記撮影位置にあるとき、前記第２の光学部材に係合して前記第２の光学部材の回転を規制する回転規制手段を有することを特徴とする。
【０００９】
本発明の撮像装置は、沈胴位置と撮影位置との間を撮影光軸に沿って移動する第１の光学部材と、前記第１の光学部材の背面側に配置され、前記撮影位置で前記撮影光軸の軸上に進入し、前記沈胴位置で前記撮影光軸の軸上から退避する第２の光学部材と、前記第１の光学部材、及び前記第２の光学部材のうちの少なくとも前記第１の光学部材を前記撮影光軸の方向に移動させる駆動部材と、前記第２の光学部材を前記撮影光軸の方向に付勢する付勢手段と、を備え、前記駆動部材は、前記第２の光学部材が前記沈胴位置から前記撮影位置に移行する際に、前記第２の光学部材に係合して前記第２の光学部材を強制的に前記撮影位置に移行させる移行手段を有することを特徴とする。
【発明の効果】
【００１０】
本発明によれば、第２の光学部材が撮影位置にあるときに、回転規制手段が第２の光学部材に係合して第２の光学部材の回転を規制することで、撮影状態で撮像装置に衝撃等が加わった際の撮像装置の耐衝撃性を向上させることができる。
【００１１】
また、本発明によれば、第２の光学部材が沈胴位置から撮影位置に移行する際に、移行手段が第２の光学部材に係合して第２の光学部材を強制的に前記撮影位置に移行させる。これにより、付勢力を大きくすることなく、第２の光学部材を確実に撮影光軸上に位置させることができる。
【図面の簡単な説明】
【００１２】
【図１】本発明の実施形態の一例であるデジタルカメラが沈胴位置にある状態を示す断面図である。
【図２】図１に示すデジタルカメラが撮影位置にある状態を示す断面図である。
【図３】第１光軸ユニットの分解斜視図である。
【図４】２群レンズユニットの分解斜視図である。
【図５】バリアユニットの分解斜視図である。
【図６】第２光軸ユニットの分解斜視図である。
【図７】３群レンズユニットの分解斜視図である。
【図８】第３レンズ枠の駆動軸が直進筒の孔に挿入された状態を背面から見た部分斜視図である。
【図９】第２光軸ユニットの撮影状態を示す背面図である。
【図１０】（Ａ）は沈胴位置での２群レンズ枠の駆動部と本体部の２群駆動部との関係を示す断面図、（Ｂ）はカム筒が撮影位置から回転した状態での２群レンズ枠の駆動部と本体部の２群駆動部との関係を示す断面図である。（Ｃ）は、撮影位置での２群レンズ枠の駆動部と本体部の２群駆動部との関係を示す断面図である。
【図１１】（Ａ）は２群レンズ枠が撮影光路から退避した状態を示す図１０（Ａ）に対応する正面図、（Ｂ）は２群レンズ枠の退避途中の状態を示す図１０（Ｂ）に対応する正面図である。（Ｃ）は、２群レンズ枠が撮影光路に進入した状態を示す図１０（Ｃ）に対応する正面図である。
【図１２】（Ａ）は沈胴位置での直進筒と３群レンズユニットとの関係を示す断面図、（Ｂ）はカム筒が撮影位置から回転した状態での直進筒と３群レンズユニットとの関係を示す断面図である。
【図１３】（Ａ）はカム筒が図１２（Ｂ）の状態から更に回転した状態での直進筒と３群レンズユニットとの関係を示す断面図、（Ｂ）は撮影位置での直進筒と３群レンズユニットとの関係を示す断面図である。
【図１４】（Ａ）は沈胴位置でのバリア駆動リングの駆動部と本体部のバリア駆動部との関係を示す図、（Ｂ）は撮影位置でのバリア駆動リングの駆動部と本体部のバリア駆動部との関係を示す図である。
【図１５】（Ａ）はバリア羽根の全閉状態を示す図１４（Ａ）に対応する正面図、（Ｂ）はバリア羽根の全開状態を示す図１４（Ｂ）に対応する正面図である。
【図１６】（Ａ）は撮影状態で衝撃が加わったときの３群レンズユニットの衝撃吸収動作を示す部分断面図、（Ｂ）は直進筒の回転規制腕が設けられていない場合の３群レンズユニットの動作を比較例として示す部分断面図である。
【図１７】３群レンズユニットを強制的に撮影位置に移動させた状態を示す部分断面図である。
【図１８】沈胴位置での１群鏡筒の回転規制軸と２群レンズ枠との関係を示す部分断面図である。
【図１９】（Ａ）は撮影位置で１群レンズと２群レンズとが互いに接近した状態を示す部分断面図、（Ｂ）は撮影位置で１群レンズと２群レンズとが互いに離れた状態を示す部分断面図である。
【図２０】（Ａ）は、１群レンズ及び２群レンズがそれぞれ接着により１群レンズ枠及び２群レンズ枠に固定されたときの１群レンズと２群レンズとの重なり量を示す部分断面図である。（Ｂ）は、１群レンズ及び２群レンズがそれぞれ加締めにより１群レンズ枠及び２群レンズ枠に固定されたときの固定部と固定部との重なり量を示す部分断面図である。
【図２１】１群鏡筒の回転規制軸と２群レンズ枠の孔との関係を示す図１９（Ａ）のＭ部拡大断面図である。
【図２２】２群レンズユニットを強制的に撮影状態に移行している状態を示す部分横断面図である。
【発明を実施するための形態】
【００１３】
以下、本発明の実施形態の一例を図面を参照して説明する。
【００１４】
図１は、本発明の実施形態の一例であるデジタルカメラが沈胴位置にある状態を示す断面図である。図２は、図１に示すデジタルカメラが撮影位置にある状態を示す断面図である。図３は、第１光軸ユニットの分解斜視図である。図４は、２群レンズユニットの分解斜視図である。図５は、バリアユニットの分解斜視図である。
【００１５】
図１乃至図３に示すように、本実施形態のデジタルカメラは、第１撮影光軸Ａに沿って配置される第１光軸ユニット１００と、第１撮影光軸Ａと交差（直交）する第２撮影光軸Ｂに沿って配置される第２光軸ユニット２００とを備える。第１光軸ユニット１００は、固定筒９に支持され、固定筒９は、本体部８０に固定される。
【００１６】
本体部８０は、第１光軸ユニット１００及び第２光軸ユニット２００を支持する。本体部８０には、図３に示すように、２群駆動部８０ａ及びバリア駆動部８０ｂが第２撮影光軸Ｂを挟むように互いに対向して設けられる。また、本体部８０には、第２光軸ユニット２００及び後述するギア部品９０ｂ（図６参照）を覆うズームカバー８１が固定される。
【００１７】
第１光軸ユニット１００は、図３に示すように、直進筒７、カム筒８、固定筒９、１群レンズユニット１０、２群レンズユニット２０、及びバリアユニット７０を有する。
【００１８】
直進筒７は、１群レンズユニット１０及び２群レンズユニット２０の回転を規制する。直進筒７の外周部には、複数の突部７ａが設けられ、複数の突部７ａは、それぞれカム筒８の内周部に形成された溝部８ａ（図２参照）に係合する。これにより、直進筒７は、カム筒８に対して相対回転可能に支持され、カム筒８と一体に第１撮影光軸Ａに沿って進退移動する。また、直進筒７の外周部には、３本の直進キー７ｂが設けられ、３本の直進キー７ｂは、固定筒９の内周部に形成された３本の直進溝９ａにそれぞれ係合する。これにより、直進筒７は、固定筒９に対して回転が規制される。
【００１９】
直進筒７の内周部には、カム部７ｆ（図８参照）が形成され、カム部７ｆは、沈胴位置への移行動作において、後述する第２光軸ユニット２００の３群レンズ枠３２の駆動軸３２ｃ（図７参照）を押圧する。この押圧により、３群レンズ枠３２及び３群レンズユニット３０を第１撮影光軸Ａの軸上及び第２撮影光軸Ｂの軸上から退避させる。
【００２０】
直進筒７のカム部７ｆと対向する位置には、第１撮影光軸Ａと直交する方向に延びる回転規制腕７ｇ及び移行制御腕７ｈ（図８参照）が互いに対向して設けられる。回転規制腕７ｇは、３群レンズ枠３２の駆動軸３２ｃとの間に所定の隙間をもって配置され、撮影状態において、衝撃が加わった際に、３群レンズ枠３２の回転を規制する。また、移行制御腕７ｈについても、３群レンズ枠３２の駆動軸３２ｃとの間に所定の隙間をもって配置され、撮影位置への移行動作において、３群レンズ枠３２及び３群レンズユニット３０を強制的に第１撮影光軸Ａの軸上及び第２撮影光軸Ｂの軸上へ進入する方向に案内する。
【００２１】
回転規制腕７ｇと移行制御腕７ｈとの間に形成される開口部７ｎ（図８参照）は、３群レンズ枠３２の駆動軸３２ｃを孔７ｅに挿入するときに使用される。また、直進筒７の内周部には、移行制御カム７ｍ（図１参照）が形成され、移行制御カム７ｍは、撮影位置への移行動作において、後述する２群レンズ枠２２を押圧する。この押圧により、２群レンズ枠２２を強制的に第１撮影光軸Ａの軸上へ進入する方向（撮影状態）に案内する。
【００２２】
カム筒８は、１群レンズユニット１０及び２群レンズユニット２０を第１撮影光軸Ａに沿って進退移動可能に支持する。カム筒８の外周部には、３本のカムピン８ｂが設けられ、３本のカムピン８ｂは、固定筒９の内周部に形成された３本のカム溝９ｂにそれぞれ係合する。これにより、カム筒８は、固定筒９に回転可能に支持され、固定筒９の３本のカム溝９ｂに従って第１撮影光軸Ａに沿って進退移動する。また、カム筒８の外周部には、ギア部（不図示）が形成され、ギア部は、後述するカム筒駆動装置９０（図６参照）に連結される。
【００２３】
１群レンズユニット１０は、１群レンズＬ１、１群レンズ枠１１、及び１群鏡筒１２を備える。１群レンズＬ１は、接着剤ＵＶ１（図２０（Ａ）参照）又は加締め等の固定部１１ａ（図２０（Ｂ）参照）により１群レンズ枠１１に固定され、１群レンズ枠１１は、１群鏡筒１２に固定される。
【００２４】
１群鏡筒１２の外周部には、３本のカムピン１２ａが形成され、３本のカムピン１２ａは、カム筒８の内周部に形成された３本のカム溝８ｃにそれぞれ係合する。また、１群鏡筒１２の外周部には、３本のサブカムピン１２ｂが形成され、３本のサブカムピン１２ｂは、カム筒８の内周部に形成された３本のカム溝８ｄにそれぞれ係合する。これらの係合により、１群鏡筒１２は、カム筒８に支持され、カム筒８の３本のカム溝８ｃと３本のカム溝８ｄに従って第１撮影光軸Ａに沿って進退移動する。
【００２５】
１群鏡筒１２の内周部には、３本の直進キー（不図示）が形成され、３本の直進キーは、直進筒７の外周部に形成された３本の直進溝７ｃにそれぞれ係合する。これにより、１群鏡筒１２は、直進筒７によって回転が規制される。また、１群鏡筒１２には、図２に示すように、回転規制軸１２ｄが形成される。回転規制軸１２ｄは、第１撮影光軸Ａと２群レンズ枠２２の中心が一致する位置（撮影位置）で、１群レンズＬ１と２群レンズＬ２が接近する状態において、２群地板２１の孔２１ｄ（図４参照）を貫通し、２群レンズ枠２２の孔２２ｆ（図４参照）に進入する。この進入により、衝撃が加わったときに、２群レンズ枠２２の回転を規制する。
【００２６】
２群レンズユニット２０は、１群レンズユニット１０の背面側に配置され、図４に示すように、２群レンズＬ２、２群地板２１、２群レンズ枠２２、２群圧縮トーションスプリング２３、及び２群ガイド軸２４を有する。２群レンズＬ２は、接着剤ＵＶ２（図２０（Ａ）参照）又は加締め等の固定部２２ｇ（図２０（Ｂ）参照）により２群レンズ枠２２に固定される。
【００２７】
２群地板２１の外周部には、３本のカムピン２１ａが形成され、３本のカムピン２１ａがカム筒８の内周面に形成された３本のカム溝８ｅに係合する。これにより、２群地板２１は、固定筒９に支持され、カム筒８の３本のカム溝８ｅに従って第１撮影光軸Ａに沿って進退移動する。また、３本のカムピン２１ａの基端部には、直進キー２１ｂがそれぞれ形成され、各直進キー２１ｂは、直進筒７に形成された３本の直進溝７ｄにそれぞれ係合する。これにより、直進筒７に対して２群地板２１の回転が規制される。２群地板２１のフランジ部には、孔２１ｄが形成され、孔２１ｄには、図１に示す沈胴状態と、図２に示す１群レンズＬ１と２群レンズＬ２が接近する撮影状態において、１群鏡筒１２の回転規制軸１２ｄが貫通する。
【００２８】
２群レンズ枠２２は、２群レンズＬ２を保持する。２群レンズ枠２２には、嵌合部２２ａが形成され、嵌合部２２ａは、２群地板２１に形成された孔２１ｅに挿入され、第１撮影光軸Ａと平行に配置された２群ガイド軸２４により２群地板２１に対して回動可能に支持される。また、後述するが、２群レンズＬ２の凸面は、撮影状態において、１群レンズＬ１の凹面に対して第１撮影光軸Ａ方向で重なる場合がある（図２０参照）。なお、２群レンズＬ２を凹面とし、１群レンズＬ１を凸面にとしてもよい。
【００２９】
また、２群レンズ枠２２は、２群圧縮トーションスプリング２３により、第１撮影光軸Ａと２群レンズ枠２２の中心が一致する撮影位置の方向（図４矢印Ｆ方向）に付勢される。２群レンズ枠２２には、第１撮影光軸Ａ方向に延びる駆動部２２ｂが形成され、駆動部２２ｂは、沈胴状態において、本体部８０の２群駆動部８０ａに当接する。
【００３０】
また、２群レンズ枠２２の駆動部２２ｂと対向する位置に形成された突起部２２ｃは、第１の撮影光軸Ａと２群レンズ枠２２の光軸が一致する位置（撮影状態）において、２群地板２１の位置規制部２１ｃと当接する。また、２群レンズ枠２２のフランジ部には、孔２２ｆが形成される。孔２２ｆには、図２に示すように、第１撮影光軸Ａと２群レンズ枠２２の中心が一致する撮影位置で、１群レンズＬ１と２群レンズＬ２が接近する状態において、１群鏡筒１２の回転規制軸１２ｄが進入する。この進入により、衝撃が加わったとき、２群レンズ枠２２の回転が規制される。２群レンズ枠２２の孔２２ｆと１群鏡筒１２の回転規制軸１２ｄとの間には、一定の隙間Ｋ４（図２１参照）が設定されている。
【００３１】
２群圧縮トーションスプリング２３は、２群地板２１と２群レンズ枠２２との間に配置され、２群レンズ枠２２の嵌合部２２ａの外周部に挿入される。２群圧縮トーションスプリング２３のコイル部２３ａは、２群レンズ枠２２を被写体側（図４矢印Ｃ方向）に付勢する。また、２群圧縮トーションスプリング２３の２本の腕部２３ｂは、一方が２群地板２１に形成されたＳＰ孔２１ｆに掛止され、他方が２群レンズ枠２２に形成されたＳＰフック（不図示）に掛止される。２群圧縮トーションスプリング２３は、２群レンズ枠２２を図４の時計回り方向（矢印Ｆ方向）に回転させ、第１撮影光軸Ａの軸上に進入する方向に付勢する。
【００３２】
バリアユニット７０は、図５に示すように、バリア駆動リング７１、バリアスプリング７２、バリア羽根７３〜７５、固定テープ７６、及びバリアカバー７７を有する。バリア駆動リング７１は、１群鏡筒１２に回転可能に支持され、一組３枚で構成される一対のバリア羽根７３〜７５を駆動する。バリア駆動リング７１には、第１撮影光軸Ａ方向に延びる駆動部７１ａが形成され、駆動部７１ａは、沈胴状態において、本体部８０のバリア駆動部８０ｂに当接する。
【００３３】
一対のバリア羽根７３〜７５は、１群レンズＬ１の被写体側に配置され、バリアカバー７７に形成された開口部７７ａを開閉する。バリア羽根７３〜７５の腕部先端には、それぞれ孔７３ａ〜７５ａが形成され、孔７３ａ〜７５ａは、１群鏡筒１２に形成された軸１２ｃに回転可能に支持される。
【００３４】
一対のバリアスプリング７２は、それぞれ一方がバリア羽根７３に形成されたＳＰフック（不図示）掛止され、他方がバリア駆動リング７１に形成されたＳＰフック７１ｂに掛止される。一対のバリアスプリング７２は、バリア駆動リング７１を図の時計回り方向（矢印Ｇ方向）に回転させ、これにより、バリア羽根７３〜７５がバリアカバー７７の開口部７７ａを開く方向に付勢される。バリアカバー７７は、固定テープ７６により、１群鏡筒１２に固定される。
【００３５】
図６は、第２光軸ユニット２００の分解斜視図である。図７は、３群レンズユニット３０の分解斜視図である。図８は、第３レンズ枠３２の駆動軸３２ｃが直進筒７の孔７ｅに挿入された状態を背面から見た部分斜視図である。図９は、第２光軸ユニット２００の撮影状態を示す背面図である。
【００３６】
図６乃至図９に示すように、第２光軸ユニット２００は、３群レンズユニット３０、３群スプリング３６、４群レンズユニット４０、５群レンズユニット５０、５群スプリング５２、６群レンズユニット６０、及びメインガイド軸８２，８３を備える。また、第２光軸ユニット２００は、カム筒駆動装置９０、４群駆動装置９１、６群駆動装置９２、光学フィルタＦ、及び撮像素子Ｓを備える。
【００３７】
３群レンズユニット３０は、図７に示すように、３群レンズＬ３、３群地板３１、３群レンズ枠３２、３群圧縮トーションスプリング３３、ガイド軸３４、及びカバー３５を有する。３群レンズユニット３０は、図９に示すように、３群地板３１に形成されたＳＰフック３１ｆと本体部８０に形成されたＳＰフック８０ｃにそれぞれ掛止された３群スプリング３６により、本体部８０の位置規制部８０ｄに当接する方向に付勢される。
【００３８】
３群地板３１には、ガイド部３１ａ及び振れ止め部３１ｂが設けられ、ガイド部３１ａ及び振れ止め部３１ｂは、本体部８０に配置されるメインガイド軸８２及び８３（図６参照）に嵌合することで、第２撮影光軸Ｂに沿って進退移動可能に支持される。
【００３９】
３群レンズ枠３２は、３群レンズＬ３を保持する。３群レンズＬ３は、第１撮影光軸Ａ方向に沿って入射する光束を第２撮影光軸Ｂ方向に折り曲げて、撮像素子Ｓの結像面に導くプリズムである。３群レンズ枠３２には、嵌合部３２ａが形成されている。嵌合部３２ａは、３群地板３１に形成された支持部３１ｃ，３１ｄ間に挿入され、第２撮影光軸Ｂと直交する方向に配置された３群ガイド軸３４により３群地板３１に対して回動可能に支持される。
【００４０】
また、３群レンズ枠３２は、３群圧縮トーションスプリング３３により、第１撮影光軸Ａと第２撮影光軸Ｂが９０°の角度で交差する位置に向けて（図７の矢印Ｈ方向）に付勢される。３群レンズ枠３２の側面に形成された突起部３２ｂは、第１撮影光軸Ａと第２撮影光軸Ｂが９０°の角度で交差する位置（撮影状態）において、３群地板３１に形成された位置規制部３１ｅに当接する（図１３（Ｂ）参照）。また、３群レンズ枠３２の突起部３２ｂの近傍に形成された駆動軸３２ｃは、図８に示すように、直進筒７のカム部７ｆと回転規制腕７ｇと移行制御腕７ｈとで形成された孔７ｅに挿入される。
【００４１】
３群圧縮トーションスプリング３３は、３群地板３１の支持部３１ｃと３群レンズ枠３２の嵌合部３２ａの端部との間に配置される。３群圧縮トーションスプリング３３のコイル部３３ａは、３群レンズ枠３２を３群地板３１の支持部３１ｄの方向（図７の矢印Ｄ方向）に付勢する。また、３群圧縮トーションスプリング３３の２本の腕部２３ｂは、一方が３群地板３１に形成された凹部（不図示）に掛止され、他方が３群レンズ枠３２に形成されたＳＰフック３２ｄに掛止される。３群圧縮トーションスプリング３３は、３群レンズ枠３２を反時計方向（図７の矢印Ｈ方向）に回転させて、上述したように、第１撮影光軸Ａと第２撮影光軸Ｂが９０°の角度で交差する位置に向けて付勢する。
【００４２】
３群カバー３５は、３群レンズＬ３の反射面Ｌ３ａ（図１、図２参照）を覆う。３群カバー３５には、２個の固定爪３５ａが形成され、２個の固定爪３５ａは、３群レンズ枠３２の２個の突起部３２ｅに係止されることで、３群レンズ枠３２に固定される。
【００４３】
４群レンズユニット４０は、図６に示すように、４群レンズＬ４、４群レンズ枠４１、シャッターユニット４２、及びラック４３を有する。４群レンズ枠４１は、４群レンズＬ４とシャッターユニット４２を保持する。４群レンズ枠４１には、ガイド部４１ａ及び振れ止め部４１ｂが形成され、ガイド部４１ａ及び振れ止め部４１ｂは、本体部８０に配置されるメインガイド軸８２及び８３に嵌合される。これにより、４群レンズ枠４１は、第２撮影光軸Ｂに沿って進退移動可能に支持される。
【００４４】
ラック４３は、４群レンズ枠４１に配置され、４群レンズ枠４１と一体に第２撮影光軸Ｂに沿って進退移動する。ラック４３は、４群駆動装置９１のねじ軸９１ｂに螺合する。この螺合により、４群レンズユニット４０は、４群駆動装置９１のねじ軸９１ｂのリードに案内されて第２撮影光軸Ｂの方向への進退移動が可能となる。
【００４５】
５群レンズユニット５０は、図６に示すように、５群レンズＬ５、及び５群レンズ枠５１を有する。５群レンズ枠５１は、５群レンズＬ５を保持する。５群レンズ枠５１には、ガイド部５１ａ及び振れ止め部５１ｂが設けられ、ガイド部５１ａ及び振れ止め部５１ｂは、本体部８０に配置されるメインガイド軸８２及び８３に嵌合される。これにより、５群レンズ枠５１は、第２撮影光軸Ｂに沿って進退移動可能に支持される。また、５群レンズユニット５０は、図９に示すように、５群レンズ枠５１に形成されたＳＰフック５１ｃと本体部８０に形成されたＳＰフック８０ｅに掛止された５群スプリング５２により、本体部８０の位置規制部８０ｆに当接する方向に付勢される。
【００４６】
６群レンズユニット６０は、図６に示すように、６群レンズＬ６、６群レンズ枠６１、及びラック６２を有する。６群レンズ枠６１は、６群レンズＬ６を保持する。６群レンズ枠６１には、ガイド部６１ａ及び振れ止め部６１ｂが設けられ、ガイド部６１ａ及び振れ止め部６１ｂは、本体部８０に配置されるメインガイド軸８２及び８３に嵌合される。これにより、６群レンズ枠６１は、第２撮影光軸Ｂに沿って進退移動可能に支持される。
【００４７】
ラック６２は、６群レンズ枠６１に配置され、６群レンズ枠６１と一体に第２撮影光軸Ｂに沿って進退移動する。ラック６２は、６群駆動装置９２のねじ軸９２ｂに螺合している。この螺合により、６群レンズユニット６０は、６群駆動装置９２のねじ軸９２ｂのリードに案内されて第２撮影光軸Ｂに沿う進退移動が可能となる。
【００４８】
カム筒駆動装置９０は、図６に示すように、ズームモータ９０ａ、ギア部品９０ｂ、及びギア地板９０ｃを有する。ズームモータ９０ａ及びギア部品９０ｂは、ギア地板９０ｃに支持されて、本体部８０に固定される。４群駆動装置９１は、ステッピングモータ９１ａ、及びねじ軸９１ｂを有して、本体部８０に固定される。６群駆動装置９２は、ステッピングモータ９２ａ、及びねじ軸９２ｂを有して、本体部８０に固定される。
【００４９】
次に、図１０及び図１１を参照して、２群レンズユニット２０を構成する２群レンズ枠２２の動作について説明する。
【００５０】
図１０（Ａ）は、沈胴位置での２群レンズ枠２２の駆動部２２ｂと本体部８０の２群駆動部８０ａとの関係を示す断面図である。図１０（Ｂ）は、カム筒８が撮影位置から回転した状態での２群レンズ枠２２の駆動部２２ｂと本体部８０の２群駆動部８０ａとの関係を示す断面図である。図１０（Ｃ）は、撮影位置での２群レンズ枠２２の駆動部２２ｂと本体部８０の２群駆動部８０ａとの関係を示す断面図である。
【００５１】
図１１（Ａ）は、２群レンズ枠２２が第１撮影光軸Ａの軸上から退避した状態を示す図１０（Ａ）に対応する正面図である。図１１（Ｂ）は、２群レンズ枠２２の退避途中の状態を示す図１０（Ｂ）に対応する正面図である。図１１（Ｃ）は、２群レンズ枠２２が第１撮影光軸Ａの軸上に進入した状態を示す図１０（Ｃ）に対応する正面図である。
【００５２】
（１）撮影状態への移行動作
図１０（Ａ）及び図１１（Ａ）に示す沈胴状態から、カム筒駆動装置９０によりカム筒８が図３の矢印Ｋ方向（反時計回り方向）に回転駆動されると、カム筒８は、回転しながら固定筒９の３本のカム溝９ｂに従って被写体側（繰出し方向）に移動する。この移動により、２群レンズユニット２０は、カム筒８の３本のカム溝８ｅに従って被写体側に移動する。この移動により、図１０（Ｂ）に示すように、２群レンズ枠２２の駆動部２２ｂに形成された回転規制部２２ｅと本体部８０の２群駆動部８０ａに形成された回転規制部８０ｈとの当接が解除される。
【００５３】
この解除により、２群レンズ枠２２は、図１１（Ｂ）に示すように、チャージされた２群圧縮トーションスプリング２３のバネ力により、ガイド軸２４を中心に図１１の時計回り方向に回動して第１撮影光軸Ａの軸上への進入動作を開始する。その後、図１０（Ｃ）に示すように、２群レンズ枠２２の駆動部２２ｂに形成されたカム部２２ｄが本体部８０の２群駆動部８０ａに形成されたカム部８０ｇから離れる。
【００５４】
そして、２群レンズ枠２２は、図１１（Ｃ）に示すように、２群レンズ枠２２の突起部２２ｃが２群地板２１の位置規制部２１ｃに当接する位置まで回転する。この当接により、第１撮影光軸Ａと２群レンズ枠２２の光軸とが一致し、撮影状態となる。
【００５５】
（２）沈胴状態への移行動作
図１０（Ｃ）及び図１１（Ｃ）に示す撮影状態から、カム筒駆動装置９０によりカム筒８が図３の矢印Ｌ方向（時計回り方向）に回転駆動されると、カム筒８は、回転しながら固定筒９の３本のカム溝９ｂに従って本体部８０の方向（繰込み方向）に移動する。この移動により、２群レンズユニット２０は、カム筒８の３本のカム溝８ｅに従って本体部８０の方向（繰込み方向）に移動する。この移動により、図１０（Ｂ）に示すように、２群レンズ枠２２のカム部２２ｄが本体部８０のカム部８０ｇと当接する。
【００５６】
この当接により、２群レンズ枠２２は、図１１（Ｂ）に示すように、カム部２２ｄと本体部８０のカム部８０ｇとのカム作用により、２群圧縮トーションスプリング２３をチャージしながらガイド軸２４を中心に図１１の反時計回り方向へ回動し退避動作を開始する。
【００５７】
その後、図１０（Ａ）に示すように、２群レンズ枠２２のカム部２２ｄと本体部８０のカム部８０ｇとの当接が解除され、２群レンズ枠２２の回転規制部２２ｅが本体部８０の回転規制部８０ｈに当接する。この当接により、２群レンズ枠２２は、図１１（Ａ）に示すように、第１撮影光軸Ａの軸上から退避した状態が保持され、沈胴状態となる。
【００５８】
次に、図１２、及び図１３を参照して、３群レンズユニット３０の動作について説明する。
【００５９】
図１２（Ａ）は、沈胴位置での直進筒７と３群レンズユニット３０との関係を示す断面図である。図１２（Ｂ）は、カム筒８が撮影位置から回転した状態での直進筒７と３群レンズユニット３０との関係を示す断面図である。図１３（Ａ）は、カム筒８が図１２（Ｂ）の状態から更に回転した状態での直進筒７と３群レンズユニット３０との関係を示す断面図である。図１３（Ｂ）は、撮影位置での直進筒７と３群レンズユニット３０との関係を示す断面図である。
【００６０】
（１）撮影状態への移行動作
図１２（Ａ）に示す沈胴状態から、カム筒駆動装置９０の駆動によりカム筒８が図３の矢印Ｋ方向（反時計回り方向）に回転駆動されると、カム筒８は、回転しながら固定筒９の３本のカム溝９ｂに従って被写体側の方向（繰出し方向）に移動する。このとき、直進筒７もカム筒８と一体に被写体側の方向に移動する。この移動により、図１２（Ｂ）に示すように、直進筒７に形成された移動規制部７ｋと３群地板３１に形成された移動規制部３１ｇとの当接が解除される。
【００６１】
この解除により、３群地板３１は、チャージされた３群スプリング３６のバネ力により、第１撮影光軸Ａの軸上への進入動作を開始する。また、３群レンズ枠３２は、チャージされた３群圧縮トーションスプリング３３のバネ力により、ガイド軸３４を中心に反時計回り方向へ回動し進入動作を開始する。
【００６２】
その後、図１３（Ｂ）に示すように、直進筒７が撮影位置まで移動すると、直進筒７のカム部７ｆが３群レンズ枠３２の駆動軸３２ｃから離れる。そして、３群地板３１は、本体部８０の位置規制部８０ｄ（図９参照）に当接する位置まで移動する。また、３群レンズ枠３２は、３群レンズ枠３２の突起部３２ｂが３群地板３１の位置規制部３１ｅに当接する位置まで回動する。この当接により、３群レンズユニット３０は、第１撮影光軸Ａの軸上および第２撮影光軸Ｂの軸上に進入する。この進入により、第１撮影光軸Ａと第２撮影光軸Ｂが９０°の角度で交差し、撮影状態となる。
【００６３】
（２）沈胴状態への移行動作
図１３（Ｂ）に示す撮影状態から、カム筒駆動装置９０の駆動によりカム筒８が図３の矢印Ｌ方向（時計回り方向）に回転駆動されると、カム筒８は、回転しながら固定筒９の３本のカム溝９ｂに従って本体部８０の方向（繰込み方向）に移動する。このとき、直進筒７もカム筒８と一体に本体部８０の方向に移動する。この移動により、図１３（Ａ）に示すように、３群レンズ枠３２の駆動軸３２ｃは、直進筒７のカム部７ｆにより押圧される。
【００６４】
この押圧により、３群レンズ枠３２は、直進筒７のカム部７ｆのカム作用により、３群圧縮トーションスプリング３３をチャージしながらガイド軸３４を中心に図の時計回り方向へ回動し退避動作を開始する。また、３群地板３１は、図１２（Ｂ）に示すように、直進筒７に形成されたカム部７ｉと３群地板３１に形成されたカム部３１ｆとの作用により、３群スプリング３６をチャージしながら撮像素子Ｓ側への移動を開始する。
【００６５】
その後、図１２（Ａ）に示すように、直進筒７のカム部７ｉと３群地板３１のカム部３１ｆとの当接が解除され、直進筒７の移動規制部７ｋが３群地板３１の移動規制部３２ｇに当接する。この当接により、３群レンズユニット３０は、第１撮影光軸Ａの軸上および第２撮影光軸Ｂの軸上から退避した状態が保持され、沈胴状態となる。
【００６６】
次に、図１４及び図１５を参照して、バリア羽根７３〜７５の開閉動作について説明する。
【００６７】
図１４（Ａ）は、沈胴位置でのバリア駆動リング７１の駆動部７１ａと本体部８０のバリア駆動部８０ｂとの関係を示す図である。図１４（Ｂ）は、撮影位置でのバリア駆動リング７１の駆動部７１ａと本体部８０のバリア駆動部８０ｂとの関係を示す図である。図１５（Ａ）は、バリア羽根７３〜７５の全閉状態を示す図１４（Ａ）に対応する正面図である。図１５（Ｂ）は、バリア羽根７３〜７５の全開状態を示す図１４（Ｂ）に対応する正面図である。
【００６８】
（１）撮影状態への移行動作
図１４（Ａ）及び図１５（Ａ）に示す沈胴状態から、カム筒駆動装置９０の駆動によりカム筒８が図３の矢印Ｋ方向（反時計回り方向）に回転駆動されると、カム筒８は、回転しながら固定筒９の３本のカム溝９ｂに従って被写体の方向（繰出し方向）に移動する。この移動により、１群レンズユニット１０は、カム筒８の３本のカム溝８ｃに従って被写体の方向に移動する。この移動により、バリア駆動リング７１は、チャージされたバリアスプリング７２のバネ力により、第１撮影光軸Ａを中心に時計回り方向への回転を開始する。
【００６９】
この回転に追従して、バリア羽根７３〜７５は、１群鏡筒１２に形成された軸１２ｃを中心に図１５の反時計回り方向への回動を開始する。その後、図１４（Ｂ）に示すように、バリア駆動リング７１の駆動部７１ａが本体部８０のバリア駆動部８０ｂから離れる。そして、バリア羽根７３〜７５は、図１５（Ｂ）に示すように、バリアカバー７７の開口部７７ａから退避し、撮影状態となる。
【００７０】
（２）沈胴状態への移行動作
図１４（Ｂ）及び図１５（Ｂ）に示す撮影状態から、カム筒駆動装置９０の駆動によりカム筒８が図３の矢印Ｌ方向（時計回り方向）に回転駆動されると、カム筒８は、回転しながら固定筒９の３本のカム溝９ｂに従って本体部８０の方向（繰込み方向）に移動する。この移動により、１群レンズユニット１０は、カム筒８の３本のカム溝８ｃに従って本体部８０の方向に移動する。
【００７１】
この移動により、バリア駆動リング７１の駆動部７１ａは、図１４（Ａ）に示すように、本体部８０のバリア駆動部８０ｂに当接する。この当接により、バリア駆動リング７１は、図１５（Ａ）に示すように、駆動部７１ａと本体部８０のバリア駆動部８０ｂとの作用により、第１撮影光軸Ａを中心にバリアスプリング７２をチャージしながら反時計回り方向に回転する。
【００７２】
この回転に追従して、バリア羽根７３〜７５は、１群鏡筒１２に形成された軸１２ｃを中心に図１５の時計回り方向に回転する。この回転により、バリア羽根７３〜７５は、バリアカバー７７の開口部７７ａに進入して１群レンズＬ１を覆い、沈胴状態となる。
【００７３】
次に、図１３及び図１６を参照して、撮影状態でカメラに衝撃が加わったときの３群レンズユニット３０の衝撃吸収動作について説明する。
【００７４】
図１６（Ａ）は、撮影状態で衝撃が加わったときの３群レンズユニット３０の衝撃吸収動作を示す部分断面図である。図１６（Ｂ）は、直進筒７の回転規制腕７ｇが設けられていない場合の３群レンズユニット３０の動作を比較例として示す部分断面図である。
【００７５】
図１３（Ｂ）に示す撮影状態でカメラに衝撃が加わると、３群レンズ枠３２は、３群圧縮トーションスプリング３３をチャージしながらガイド軸３４を中心に時計回り方向に回転する。このとき、３群レンズ枠３２の駆動軸３２ｃは、図１６（Ａ）に示すように、直進筒７の回転規制腕７ｇと係合する。
【００７６】
この係合により、３群レンズ枠３２の回転が規制され、３群レンズ枠３２は、チャージされた３群圧縮トーションスプリング３３のバネ力により、ガイド軸３４を中心に反時計回り方向に回転する。そして、図１３（Ｂ）に示すように、再度、３群レンズ枠３２の突起部３２ｂが３群地板３１の位置規制部３１ｅに当接し、撮影状態に復帰することができる。
【００７７】
また、直進筒７に回転規制腕７ｇを設けることで、撮影状態でカメラに衝撃が加わった際に、図１６（Ｂ）に示すように、３群レンズ枠３２の駆動軸３２ｃが直進筒７の孔７ｅから外れて直進筒７の平面部７ｍと当接することが無くなる。これにより、３群レンズ枠３２が３群レンズユニット３０の周辺に配置された部品と干渉したり、作動不具合を起こしたりするのを防止することができる。
【００７８】
次に、図１２、図１３及び図１７を参照して、３群レンズユニット３０を強制的に撮影位置に移動させる動作について説明する。図１７は、３群レンズユニット３０を強制的に撮影位置に移動させた状態を示す部分断面図である。
【００７９】
図１２（Ａ）に示す沈胴位置から図１３（Ｂ）に示す撮影位置に移行するとき、図１７に示すように、直進筒７の移動規制部７ｋと３群地板３１の移動規制部３１ｇとの当接が解除される。この解除により、３群レンズユニット３０が摩擦等の何らかの原因で第１撮影光軸Ａ側へ移動しないとき、直進筒７の移行制御腕７ｈが３群レンズ枠３２の駆動軸３２ｃと係合する。この係合により、３群レンズユニット３０を強制的に第１撮影光軸Ａ側に移動させることができる。
【００８０】
次に、図１１及び図１８乃至図２０を参照して、１群鏡筒１２の回転規制軸１２ｄと２群レンズユニット２０を構成する２群レンズ枠２２との関係について説明する。
【００８１】
図１８は、沈胴位置での１群鏡筒１２の回転規制軸１２ｄと２群レンズ枠２２との関係を示す部分断面図である。図１９（Ａ）は、撮影位置で１群レンズＬ１と２群レンズＬ２とが互いに接近した状態を示す部分断面図である。図１９（Ｂ）は、撮影位置で１群レンズＬ１と２群レンズＬ２とが互いに離れた状態を示す部分断面図である。
【００８２】
図２０（Ａ）は、１群レンズＬ１及び２群レンズＬ２がそれぞれ接着により１群レンズ枠１１及び２群レンズ枠２２に固定されたときの１群レンズＬ１と２群レンズＬ２との重なり量Ｋ２を示す部分断面図である。図２０（Ｂ）は、１群レンズＬ１及び２群レンズＬ２がそれぞれ加締めにより１群レンズ枠１１及び２群レンズ枠２２に固定されたときの固定部１１ａと固定部２２ｇとの重なり量Ｋ３を示す部分断面図である。
【００８３】
図１８に示すように、沈胴状態では、１群鏡筒１２の回転規制軸１２ｄは、２群地板２１の孔２１ｄに進入する。このとき、２群レンズ枠２２は、図１１（Ａ）に示すように、第１撮影光軸Ａの軸上から退避した状態になっているため、１群鏡筒１２の回転規制軸１２ｄは、２群レンズ枠２２の孔２２ｆに進入しない。
【００８４】
図１９（Ａ）に示すように、撮影状態において、１群レンズＬ１と２群レンズＬ２とが互いに接近したとき、１群鏡筒１２の回転規制軸１２ｄは、２群地板２１の孔２１ｄを貫通し、２群レンズ枠２２の孔２２ｆに進入する。この進入により、２群レンズ枠２２の回転が規制される。
【００８５】
このとき、図２０（Ａ）に示すように、１群鏡筒１２の回転規制軸１２ｄの２群レンズ枠２２の孔２２ｆに対する第１撮影光軸Ａ方向の係合量Ｋ１は、１群レンズＬ１と２群レンズＬ２との重なり量Ｋ２より大きい。すなわち、係合量Ｋ１＞重なり量Ｋ２の関係に設定されている。また、図２０（Ｂ）に示すように、１群鏡筒１２の回転規制軸１２ｄの２群レンズ枠２２の孔２２ｆに対する第１撮影光軸Ａ方向の係合量Ｋ１は、１群レンズ枠１１の固定部１１ａと２群レンズ枠２２の固定部２２ｇとの重なり量Ｋ３より大きい。すなわち、係合量Ｋ１＞重なり量Ｋ３の関係に設定されている。ここで、１群レンズＬ１は、本発明の第１レンズの一例に相当し、１群レンズ枠１１は、本発明の第１レンズ枠の一例に相当する。また、２群レンズＬ２は、本発明の第２レンズの一例に相当し、２群レンズ枠２２は、本発明の第２レンズ枠の一例に相当する。
【００８６】
また、撮影状態において、図１９（Ｂ）に示すように、１群レンズＬ１と２群レンズＬ２とが離れたとき、１群鏡筒１２の回転規制軸１２ｄは、２群地板２１の孔２１ｄと２群レンズ枠２２の孔２２ｆから退避する。
【００８７】
このように、本実施形態では、撮影状態において、１群レンズＬ１と２群レンズＬ２とが互いに接近したとき、２群レンズ枠２２の回転を規制することができる。これにより、２群レンズ枠２２が２群レンズユニット２０の周辺に配置された部品と干渉するのを防止することができ、１群レンズＬ１と２群レンズＬ２との間隔を極限まで接近させることができる。
【００８８】
次に、図１１及び図２１を参照して、撮影状態でカメラに衝撃が加わったときの２群レンズユニット２０の衝撃吸収動作について説明する。図２１は、１群鏡筒１２の回転規制軸１２ｄと２群レンズ枠２２の孔２２ｆとの関係を示す図１９（Ａ）のＭ部拡大断面図である。
【００８９】
図１１（Ｃ）に示す撮影状態でカメラに衝撃が加わると、２群レンズ枠２２は、２群圧縮トーションスプリング２３をチャージしながらガイド軸２４を中心に反時計回り方向に回転する。このとき、２群レンズ枠２２は、図２１に示すように、１群鏡筒１２の回転規制軸１２ｄと２群レンズ枠２２の孔２２ｆとの間に形成された隙間Ｋ４分反時計回り方向に回転し、１群鏡筒１２の回転規制軸１２ｄと係合する。
【００９０】
この係合により、２群レンズ枠２２の回転が規制され、２群レンズ枠２２は、チャージされた２群圧縮トーションスプリング２３のバネ力により、ガイド軸２４を中心に時計回り方向に回転する。そして、図１１（Ｃ）に示すように、２群地板２１の位置規制部２１ｃに２群レンズ枠２２の突起部２２ｃが当接し、撮影状態に復帰することができる。
【００９１】
次に、図１０、図１８、図１９及び図２２を参照して、２群レンズユニット２０を強制的に撮影位置に移動させる動作について説明する。図２２は、２群レンズユニット２０を強制的に撮影状態に移行している状態を示す部分横断面図である。
【００９２】
図１０（Ａ）及び図１８に示す沈胴状態から図１０（Ｂ）及び図１９（Ａ）に示す撮影状態に移行するとき、２群レンズ枠２２の駆動部２２ｂに形成された回転規制部２２ｅと本体部８０の２群駆動部８０ａに形成された回転規制部８０ｈとの当接が解除される。この解除により、２群レンズ枠２２が摩擦等の何らかの原因で第１撮影光軸Ａ上に移行しないとき、図２２に示すように、直進筒７の移行制御カム７ｍが２群レンズ枠２２の外周部に係合して当該外周部を第１撮影光軸Ａに向けて押圧する。この押圧により、２群レンズ枠２２を強制的に撮影状態に移行させることができる。
【００９３】
以上説明したように、本実施形態では、撮影状態でカメラに衝撃が加わったとき、第２の光学部材を構成する２群レンズ枠２２及び３群レンズ枠３２の回転を規制する。これにより、２群レンズユニット２０、及び３群レンズユニット３０が他の部品と干渉したり、作動不具合を起こしたりするのを防止することができ、カメラの耐衝撃性を向上させることができる。
【００９４】
また、本実施形態では、第２の光学部材を強制的に撮影状態に移行させるようにしたので、２群圧縮トーションスプリング２３や３群圧縮トーションスプリング３３の付勢力を大きくすることなく、第２の光学部材を確実に第１撮影光軸Ａ上に位置させることができる。
【００９５】
なお、本発明の構成は、上記実施形態に例示したものに限定されるものではなく、材質、形状、寸法、形態、数、配置箇所等は、本発明の要旨を逸脱しない範囲において適宜変更可能である。
【００９６】
例えば、上記実施形態では、第１撮影光軸Ａ及び第２撮影光軸Ｂを有する屈曲沈胴構造のカメラを例示したが、第１撮影光軸Ａのみのストレート沈胴構造のカメラであってもよい。
【００９７】
また、上記実施形態では、２群レンズ枠２２の回転を規制する回転規制軸１２ｄを２群レンズユニット２０より被写体側に配置された１群鏡筒１２に設けが、これに限らず、２群レンズユニット２０より像面側に配置された部材に設けてもよい。
【００９８】
更に、上記実施形態では、３群レンズ枠３２の駆動軸３２ｃに係合する回転規制腕７ｇ及び移行制御腕７ｈをそれぞれ直進筒７に設けが、これに限らず、カム筒等の駆動部材に設けてもよい。
【符号の説明】
【００９９】
Ｌ１  １群レンズ
Ｌ２  ２群レンズ
Ｌ３  ３群レンズ
７  直進筒
７ｇ  回転規制腕
７ｇ  移行制御腕
７ｍ  移行制御カム
１１  １群レンズ枠
１１ａ，２２ｇ  固定部
１０  １群レンズユニット
１２  １群鏡筒
１２ｄ  回転規制軸
２０  ２群レンズユニット
２１  ２群地板
２１ｄ  孔
２２  ２群レンズ枠
２２ｆ  孔
３０  ３群レンズユニット
３１  ３群地板
３２  ３群レンズ枠
【図１】
2015111202.tif 000003
【図２】
2015111202.tif 000004
【図３】
2015111202.tif 000005
【図４】
2015111202.tif 000006
【図５】
2015111202.tif 000007
【図６】
2015111202.tif 000008
【図７】
2015111202.tif 000009
【図８】
2015111202.tif 000010
【図９】
2015111202.tif 000011
【図１０】
2015111202.tif 000012
【図１１】
2015111202.tif 000013
【図１２】
2015111202.tif 000014
【図１３】
2015111202.tif 000015
【図１４】
2015111202.tif 000016
【図１５】
2015111202.tif 000017
【図１６】
2015111202.tif 000018
【図１７】
2015111202.tif 000019
【図１８】
2015111202.tif 000020
【図１９】
2015111202.tif 000021
【図２０】
2015111202.tif 000022
【図２１】
2015111202.tif 000023
【図２２】
2015111202.tif 000024